(57)【特許請求の範囲】
【請求項１】
電子回路部と、前記電子回路部を搭載するべ一ス部材と、前記電子回路部に電気的に接続されるターミナルと、前記ターミナルの一部を露出させて前記電子回路部を樹脂封入した電子回路封入部材と、前記電子回路封入部材の前記ターミナルの一部が露出している側に嵌合され、前記ターミナルに電気的に接続されるコネクタとそれを支持するコネクタハウジングとを備え、
前記コネクタハウジングは前記ターミナルの全体と該ターミナルが形成されている前記電子回路封入部材の外側端部全体とを覆うように前記電子回路封入部材の外面形状に相似した内面形状を有する袋状の嵌合構造を有し、
前記電子回路封入部材は前記べ一ス部材の一部を露出させて前記電子回路部が前記樹脂封入され、前記べ一ス部材の露出部は角窓を備えると共にクランク状に成形された固定部を備え、
前記コネクタハウジングは前記角窓に嵌合するロック爪を有し、
前記コネクタハウジングの嵌合構造内に前記電子回路封入部材が嵌合され、該ロック爪と前記角窓との嵌合により前記ターミナルとコネクタとが固定され、前記ターミナルとコネクタとが電気的に接続される
ことを特徴とする電子回路装置。
【請求項２】
請求項１において、前記電子回路封入部材は、その前記コネクタハウジングと嵌合する内側部分が平坦で、該内側部分より外側となる外側部分が前記内側部分より薄肉となっていることを特徴とする電子回路装置。
【請求項３】
請求項１又は２において、前記電子回路封入部材は、前記コネクタハウジングの位置決め用凸部を有することを特徴とする電子回路装置。
【請求項４】
請求項１乃至３のいずれかにおいて、前記コネクタハウジングは前記位置決め用凸部に合致する位置決め用凹部を有することを特徴とする電子回路装置。
【請求項５】
電子回路部と、前記電子回路部を搭載するべ一ス部材と、前記電子回路部に電気的に接続されるターミナルと、前記ターミナルの一部を露出させて前記電子回路部を樹脂封入した電子回路封入部材と、前記電子回路封入部材の前記ターミナルの一部が露出している側に嵌合され、前記ターミナルに電気的に接続されるコネクタとそれを支持するコネクタハウジングとを備え、
前記コネクタハウジングは前記ターミナルの全体と該ターミナルが形成されている前記電子回路封入部材の上面の外側端部全体とを覆う前記電子回路封入部材の外面形状に相似した内面形状を有する上面部材と、前記ターミナルが形成されている前記電子回路封入部材の下面の一部を覆う抑え部材とを備えた嵌合構造を有し、
前記電子回路封入部材は前記べ一ス部材の一部を露出させて前記電子回路部が前記樹脂封入され、前記べ一ス部材の露出部は角窓を備えると共にクランク状に成形された固定部を備え、
前記コネクタハウジングは前記角窓に嵌合するロック爪を有し、
前記コネクタハウジングの嵌合構造内に前記電子回路封入部材が嵌合され、該ロック爪と前記角窓との嵌合により前記ターミナルとコネクタとが固定され、前記ターミナルとコネクタとが電気的に接続される
ことを特徴とする電子回路装置。
【請求項６】
請求項５において、前記電子回路封入部材は、その前記コネクタハウジングと嵌合する内側部分が平坦で、該内側部分より外側となる外側部分が前記内側部分より徐々に薄肉となっていることを特徴とする電子回路装置。
【請求項７】
請求項５又は６において、前記電子回路封入部材は、前記コネクタハウジングの位置決め用凸部を有することを特徴とする電子回路装置。
【請求項８】
請求項２において、前記コネクタハウジングは、前記電子回路封入部材と嵌合する開口部の入り口側が平坦で、前記電子回路封入部材の前記外側部分に対応する部分が前記入り口側より奥へと徐々に尻絞みとなっていることを特徴とする電子回路装置。
【請求項９】
請求項７において、前記コネクタハウジングは、前記電子回路封入部材に設けられた前記位置決め用凸部に合致する位置決め用凹部を有することを特徴とする電子回路装置。
【発明の詳細な説明】
【技術分野】
【０００１】
本発明は、新規な電子回路封入部材の接続構造と電子回路封入部材及びコネクタ接続構造を有する電子回路装置に関する。
【背景技術】
【０００２】
従来、コネクタ接続構造として、特許文献１が知られている。この従来の構造は、コネクタのハウジングの一端と電子回路封入部材に突き合わせた面を設け、電子回路封入部材にはコネクタの挿入方向と平行に嵌合用突起を設けると共にその突起の先端にロック用突起を設けている。コネクタハウジングには、電子回路封入部材に設けた嵌合用突起及びロック用突起と合致する嵌合用凹部及びロック用孔を設け、これら嵌合用突起のロック用突起を嵌合用凹部及びロック用孔に嵌合させることにより電子回路封入部材とコネクタとを突き合わせ電気的に接続している。
【０００３】
【特許文献１】特開2001-244007号公報
【発明の開示】
【発明が解決しようとする課題】
【０００４】
上述した従来の電子回路封入部材の接続構造においては、電子回路封入部材とコネクタとを突き合わせた状態で接続しているため、電子回路封入部材とコネクタとの突き合わせ面より異物が混入し、ターミナル間でのショートが発生するという可能性がある。さらに、電子回路封入部材に封止材によって嵌合用突起及びロック用突起を設ける必要があるため電子回路封入部材の形状が複雑となり、成形性が悪いという問題があった。
【０００５】
本発明の目的は、異物混入によるターミナル間でのショートを防止し、簡単な形状で電子回路封入部材のターミナルとコネクタとを電気的に接続できる電子回路封入部材の接続構造と電子回路封入部材及びコネクタ接続構造を有する電子回路装置を提供することにある。
【課題を解決するための手段】
【０００６】
本発明は、電子回路部と、前記電子回路部を搭載するべ一ス部材と、前記電子回路部に電気的に接続されるターミナルと、前記ターミナルの一部を露出させて前記電子回路部を樹脂封入した電子回路封入部材と、前記電子回路封入部材の前記ターミナルの一部が露出している側に嵌合され、前記ターミナルに電気的に接続されるコネクタとそれを支持するコネクタハウジングとを備え、前記コネクタハウジングは前記ターミナルの全体と該ターミナルが形成されている前記電子回路封入部材の外側端部全体とを覆うように前記電子回路封入部材の外面形状に相似した内面形状を有する袋状の嵌合構造を有し、
前記電子回路封入部材は前記べ一ス部材の一部を露出させて前記電子回路部が前記樹脂封入され、前記べ一ス部材の露出部は角窓を備えると共にクランク状に成形された固定部を備え、
前記コネクタハウジングは前記角窓に嵌合するロック爪を有し、
前記コネクタハウジングの嵌合構造内に前記電子回路封入部材が嵌合され、該ロック爪と前記角窓との嵌合により前記ターミナルとコネクタとが固定され、前記ターミナルとコネクタとが電気的に接続されることを特徴とする電子回路装置にある。
【０００７】
前記電子回路封入部材はそのコネクタハウジングと嵌合する内側部分が平坦で、その内側部分より外側となる外側部分がその内側部分より薄肉となっている。
【０００８】
前記電子回路封入部材は前記接続の位置決め用凸部を有すること、又、前記コネクタハウジングは前記位置決め用凸部に合致する位置決め用凹部を有することが好ましい。
【０００９】
又、本発明の電子回路装置は、電子回路部と、前記電子回路部を搭載するべ一ス部材と、前記電子回路部に電気的に接続されるターミナルと、前記ターミナルの一部を露出させて前記電子回路部を樹脂封入した電子回路封入部材と、前記電子回路封入部材の前記ターミナルの一部が露出している側に嵌合され、前記ターミナルに電気的に接続されるコネクタとそれを支持するコネクタハウジングとを備え、
前記コネクタハウジングは前記ターミナルの全体と該ターミナルが形成されている前記電子回路封入部材の上面の外側端部全体とを覆う前記電子回路封入部材の外面形状に相似した内面形状を有する上面部材と、前記ターミナルが形成されている前記電子回路封入部材の下面の一部を覆う抑え部材とを備えた嵌合構造を有し、
前記電子回路封入部材は前記べ一ス部材の一部を露出させて前記電子回路部が前記樹脂封入され、前記べ一ス部材の露出部は角窓を備えると共にクランク状に成形された固定部を備え、
前記コネクタハウジングは前記角窓に嵌合するロック爪を有し、
前記コネクタハウジングの嵌合構造内に前記電子回路封入部材が嵌合され、該ロック爪と前記角窓との嵌合により前記ターミナルとコネクタとが固定され、前記ターミナルとコネクタとが電気的に接続されることを特徴とする電子回路装置にあり、
前記電子回路封入部材は、前記コネクタハウジングと嵌合する内側部分が平坦で、該内側部分より外側となる外側部分が徐々に前記内側部分より薄肉となっていることが好ましい。
【００１０】
前記ベース部材の露出部は角窓を備えると共にクランク状に成形された固定部を有すること、又、前記電子回路封入部材は前記接続の位置決め用凸部を有することが好ましい。
【００１１】
更に、本発明の電子回路装置は、電子回路封入部材のターミナルに外部に電気的に接続する接続部を有するコネクタ接続構造を備え、前記接続部を支持するコネクタハウジングを有し、該コネクタハウジングが前記接続部においてその開口部入り口が平坦で、電子回路封入部材１の外側部分に対応する部分が入り口側より奥へと徐々に尻絞みとなっていることが好ましい。
【００１２】
前記コネクタハウジングは前記コネクタのターミナルへの接続方向に伸びたロック爪を有すること、又、前記コネクタハウジングは前記電子回路封入部材に設けられた位置決め用凸部に合致する位置決め用凹部を有することが好ましい。
【発明の効果】
【００１３】
本発明によれば、異物混入によるターミナル間でのショートを防止し、簡単な形状で電子回路封入部材のターミナルとコネクタとを電気的に接続できる、特に、自動車用制御装置における電子回路封入部材の接続構造と電子回路封入部材及びコネクタ接続構造を有する電子回路装置を提供することができる。
【００１４】
又、本発明の電子回路封入部材の接続構造と電子回路封入部材及びコネクタ接続構造を有する電子回路装置によれば、電子回路封入部材を取付けるためのベース部材のクランク状に形成した角窓と電子回路封入部材の固定部位を共用できるため、電子回路封入部材に特別なロック用突起を設ける必要がなく、これにより電子回路封入部材の形状を単純になる。また、コネクタ嵌合時の位置決め性を向上させることが可能であるため、容易に電子回路封入部材のターミナルとコネクタとを電気的に接続することができる。
【発明を実施するための最良の形態】
【００１５】
以下、本発明を実施するための最良の形態を実施例によって具体的に説明するが、本発明は以下の実施例に限定されるものではない。
【実施例１】
【００１６】
図１は本発明に係る電子回路封入部材の接続構造を示す電子回路装置の斜視図であり、（ａ）が電子回路封入部材及び（ｂ）がコネクタ接続構造である。図２は両者が電気的に接続された後の片方側の平面図である。図１及び図２に示すように、電子回路封入部材の接続構造を示す電子回路装置は、電子回路封入部材１及びそのターミナル２とベース部材３、これに接続するコネクタ４を主な部材として構成されている。図示されていないが、本実施例に係る電子回路封入部材１は、電子部品を搭載したセラミックス基板がベース部材３上に搭載され、セラミック基板とターミナル２とはワイヤボンデングによって電気的に接続されている。
【００１７】
電子回路封入部材１は、電子回路部（図示せず）、ターミナル２及びベース部材３を有し、ターミナル２の一部とベース部材３の一部を露出させて全体が樹脂封止材で封止されており、成形性の良い四角形状となっている。ターミナル２は、両側に数多く形成され、両側面から互いに平行に突出して形成してある。ベース部材３は、ターミナル２の形成方向に対し、直交する方向でその両側面から突出しており、角窓３１を有するように、電子回路封入部材１を他の部材に固定するためにクランク状に形成した電子回路封入部材１の固定部位３２を設けてある。固定部位３２は電子回路封入部材１を他の部材に固定するもので、電子回路封入部材１を他の部材に対して浮いた状態で固定され、直接の振動を受けないようになっている。電子回路封入部材１の樹脂封止材は、コネクタハウジング４ａと嵌合する内側部分が平坦で、その内側部分より外側となる外側部分の全体がその内側部分の平坦部より徐々により薄肉に形成されている。
【００１８】
コネクタハウジング４ａは接続部において電子回路封入部材１の前記ターミナル２の全体と該ターミナル２が形成されている電子回路封入部材１の外側端部全体とを覆うように電子回路封入部材１の外面形状に相似した内面形状を有する袋状の嵌合構造を有し、電子回路封入部材１のターミナルとコネクタハウジング４ａとは接続部において互いに嵌合して電気的に接続されている。
【００１９】
コネクタ４は、この矩形角柱状の電子回路封入部材１をターミナル２の側から内部に合致できる内側形状に形成してあり、コネクタハウジング４ａの両側面にはベース部材３の角窓３１に嵌合するロック爪４１が設けてある。コネクタハウジング４ａはターミナル２との接続部においてその外側入り口側が平坦で、その内部が尻絞みの形状で、電子回路封入部材１の外形に相似した内面形状を有し、その内面形状に電子回路封入部材１が挿入され互いに嵌合する。
【００２０】
接続の手順は、コネクタハウジング４ａにターミナル２の側から電子回路封入部材１を覆うように挿入して、角窓３１を備えたクランク状のベース部材３に、ロック爪４１を嵌合させて接続される。
【００２１】
これにより異物混入によるターミナル間でのショートを防ぐ構造となり、電子回路封入部材１に、特別なロック用突起を設けることなく、簡単な構造で容易にコネクタ４を接続することができる。また、ロック爪４１の断面積によって、ロックの強度を調整できる。
【００２２】
又、本実施例によれば、電子回路封入部材１の接続構造と電子回路封入部材１及びコネクタ接続構造において、電子回路封入部材１を取付けるためのベース部材のクランク状に形成した角窓３１と電子回路封入部材の固定部位３２を共用できるため、電子回路封入部材１に特別なロック用突起を設ける必要がなく、これにより電子回路封入部材１の形状を単純にできる。また、コネクタ嵌合時の位置決め性を向上させることが可能であるため、容易に電子回路封入部材１のターミナル２とコネクタ４とを電気的に接続することができる。
【実施例２】
【００２３】
図３は本発明に係る電子回路封入部材の接続構造を示す電子回路装置の斜視図であり、（ａ）が電子回路封入部材及び（ｂ）がコネクタ接続構造である。図４は図３の一点鎖線で示す両者の接続状況をベース部材側から見た電子回路封入部材の側面図（ａ）及びコネクタ接続構造の断面図（ｂ）である。図３及び図４に示すように、電子回路封入部材の接続構造は、電子回路封入部材１、そのターミナル２、ベース部材３、これに接続されるコネクタ４を主な部材として構成されている。
【００２４】
電子回路封入部材１は、実施例１と同様の構造を有しており、電子回路部（図示せず）とターミナル２とベース部材３を接続し、ターミナル２の一部とベース部材３の一部を露出させて周囲を樹脂封止材で被膜して形成してある。樹脂封止材は、位置決め用凸部１１を設けて形成してある。ターミナル２は、両側面に接続方向に平行に突出して形成してある。ベース部材３は、ターミナル２への接続方向に対し、直交する方向の両側面から突出しており、角窓３１を有するように、電子回路封入部材１を他の部材に固定するためにクランク状に形成した電子回路封入部材の固定部位３２を設けてある。電子回路封入部材１の少なくとも電気的接続部の両側がコネクタハウジング４ａと嵌合する内側部分では平坦で、その内側部分より外側となる外側部分がその内側部分より薄肉に形成されている。
【００２５】
コネクタハウジング４ａは接続部において電子回路封入部材１のターミナル２の全体と該ターミナル２が形成されている前記電子回路封入部材の上面の外側端部全体とを覆うように電子回路封入部材１の外面形状に相似した内面形状を有する上面部材と、ターミナル２が形成されている電子回路封入部材１の下面の一部を覆う抑え部材４３とを備えた嵌合構造を有し、コネクタハウジング４ａの嵌合構造内に電子回路封入部材１が嵌合され、電子回路封入部材１のターミナルとコネクタハウジング４ａとは接続部において互いに嵌合して電気的に接続されている。
【００２６】
そして、コネクタ４は、電子回路封入部材１をターミナル２の側から内部に合致できる位置決め用凹部４２を片側に設け、反対側には、電子回路封入部材１の抑え部位４３を設け、両側面にはベース部材３に嵌合するロック爪４１が設けてある。
【００２７】
接続の手順は、コネクタハウジング４ａにターミナル２の側から電子回路封入部材１を挿入して、電子回路封入部材１に設けた位置決め用凸部１１とコネクタハウジング４ａに設けた位置決め用凹部４２と電子回路封入部材１の２個の抑え部位４３で電子回路封入部材１の上下左右方向の位置を規制し、角窓３１を備えたクランク状のベース部材３に、ロック爪４１を嵌合させる。
【００２８】
本実施例によれば、異物混入によるターミナル間でのショートを防ぐ構造となり、電子回路封入部材に、特別なロック用突起を設けることなく、コネクタの位置決め性を向上させて、容易にコネクタを接続することができる。また、ロック爪の断面積によって、ロックの強度を調整できる。又、前述の実施例１と同様に他の効果も得られるものである。
【図面の簡単な説明】
【００２９】
【図１】本発明に係る電子回路封入部材の接続構造とコネクタ接続構造とを示す電子回路装置の斜視図である。
【図２】図１に示した電子回路封入部材の接続構造とコネクタ接続構造との接続を示す平面図である。
【図３】本発明に係る電子回路封入部材の接続構造とコネクタ接続構造とを示す電子回路装置の斜視図である。
【図４】図３に示した電子回路封入部材の接続構造とコネクタ接続構造との接続を示す側面図及び断面図である。
【符号の説明】
【００３０】
１…電子回路封入部材、２…ターミナル、３…ベース部材、３１…角窓、３２…電子回路封入部材の固定部位、４…コネクタ、４ａ…コネクタハウジング、１１…位置決め用凸部、４１…ロック爪、４２…位置決め用凹部、４３…抑え部位。
【図１】
0004351553.tif 000002
【図２】
0004351553.tif 000003
【図３】
0004351553.tif 000004
【図４】
0004351553.tif 000005